(57)【要約】【課題】導線が水容器内の水中で漏電し危険を招く可能性を排除し、使用上の安全を確保すると共に、装飾装置全体の外観を向上する、電池駆動式水循環装飾装置の提供。【解決手段】本発明の電池駆動式水循環装飾装置は、水容器と、前記水容器内に設置される汲水機構と、前記汲水機構に駆動力を提供する駆動機構を含み、そのうち、前記駆動機構に電池または太陽エネルギー電池が接続されることを特徴とする。【選択図】図１
2007307886.tif 000002
【特許請求の範囲】
【請求項１】
水容器と、前記水容器内に設置された汲水機構と、前記汲水機構に駆動力を提供する駆動機構を含み、そのうち、前記駆動機構が電池または太陽エネルギー電池に接続されることを特徴とする、電池駆動式水循環装飾装置。  
【請求項２】
前記汲水機構が吸水口及び排水口を備えていることを特徴とする、請求項１に記載の電池駆動式水循環装飾装置。
【請求項３】
前記汲水機構に磁性を有する可動部材が設けられ、前記可動部材が導水器内に設置されることを特徴とする、請求項１に記載の電池駆動式水循環装飾装置。   
【請求項４】
前記水容器の壁面上に容器空間内に向かって延伸された柱体が設けられ、前記柱体上端にマグネットロータインペラが設置され、前記柱体の内部に前記駆動機構が設置され、前記マグネットロータインペラが前記駆動機構に駆動されて回転することを特徴とする、請求項１に記載の電池駆動式水循環装飾装置。
【請求項５】
前記水容器の壁面上に容器空間外部へ向かって延伸された柱体が設けられ、前記柱体の上端にマグネットロータインペラが設置され、前記柱体の内部に前記駆動機構が設置され、前記マグネットロータインペラが前記駆動機構により駆動されて回転することを特徴とする、請求項１に記載の電池駆動式水循環装飾装置。  
【請求項６】
前記水容器の壁面上に磁性膜片を備えた装置が設置され、容器空間外側に駆動機構が設けられ、前記磁性膜片が前記駆動機構により作用されて運動することを特徴とする、請求項１に記載の電池駆動式水循環装飾装置。
【請求項７】
前記電池と駆動機構の間に回路制御装置が設置されることを特徴とする、請求項１に記載の電池駆動式水循環装飾装置。
【請求項８】
前記汲水機構の吸水口または排水口に物質を濾過する濾過装置或いは水流誘導装置が接続されることを特徴とする、請求項２に記載の電池駆動式水循環装飾装置。
【請求項９】
前記汲水機構の排水口に管路が接続され、前記管路が１つまたは１つ以上の排水口を有することを特徴とする、請求項２に記載の電池駆動式水循環装飾装置。  
【請求項１０】
前記水容器の底部近くに透水層板が設けられ、前記層板に孔または開口槽が開設されると共に、装飾物を接続するための界面が設けられることを特徴とする、請求項１に記載の電池駆動式水循環装飾装置。
【請求項１１】
前記水容器の壁面上に前記透水層板または装飾物と相互に接続可能な界面が設けられることを特徴とする、請求項１に記載の電池駆動式水循環装飾装置。     
【請求項１２】
前記透水層板が前記汲水機構の吸水口と排水口の間に配置されることを特徴とする、請求項１０または１１に記載の電池駆動式水循環装飾装置。
【請求項１３】
前記水容器の壁面上に中空の内側へ延伸された部分が設けられ、その内部に照明部材または電池或いは太陽エネルギー電池が設置されることを特徴とする、請求項１に記載の電池駆動式水循環装飾装置。
【請求項１４】
前記水容器上に液体により押し動かされ動作を発生する装飾部材を設けることを特徴とする、請求項１に記載の電池駆動式水循環装飾装置。
【請求項１５】
前記水容器上に植物灌漑設備を設けることができることを特徴とする、請求項１に記載の電池駆動式水循環装飾装置。   
【発明の詳細な説明】
【技術分野】
【０００１】
本発明は装飾装置に関し、詳細には、電池で駆動される水循環装飾装置に関する。  
【背景技術】
【０００２】
人々の生活水準の向上に伴い、家庭または公共場所における装飾がより重視されるようになった。特に、盆景、盆栽、噴水、水槽等の流動する水を装飾のポイントとする装飾装置は特に流行しており、これら水を流動させる装飾装置は一般に交流電流で駆動される汲水装置を動力としている。特に水槽がそうであり、現在水槽は主に金魚や蝦等各種水生物の飼育に用いられており、装飾効果が発揮されている。一般的な水槽は水生物の排泄物の汚染により汚物が発生するため、水槽内には一般に濾過装置を設置し、水槽の水を浄化して水生物が適応できる生存環境を提供する必要がある。
【０００３】
しかしながら、現有の水槽または噴水等の装飾装置は、水質浄化の目的を達する際、交流電流を用いる汲水装置を使用するため、一般に安全面での心配と全体の外観に優れないという欠点が存在する。具体的には、図６に示す水槽または噴水７０を例にとると、濾過装置７１の全体が水容器７２内の水中に入れられるため、電気接続後にこの濾過装置７１の導線７１１が水中で漏電を起こし、水生物を死亡させたり、さらには人の生命を脅かすことさえある。且つ、導線７１１は人が経常的に接触できる場所に露出されるため、漏電が発生すると人にとって危険となる。また、導線７１１が水容器７２の外に露出されるため、水槽または噴水７０の全体の外観が損なわれる。
【０００４】
図７に別の水槽または噴水８０を示す。濾過装置８１全体が水容器８２の外に設置され、濾過装置８１は吸水管８１１及び排水管８１２を介して水容器８２内の水に接続される。このため、前記吸水管８１１及び排水管８１２の設置もまた水槽または噴水８０の全体の外観を損ねる。同様に前記濾過装置８１に接続される導線８１３も依然として水容器８２の横に配置され、この導線８１３は人が経常的に接触できる場所にあるため、漏電が発生すると人にとって危険を招く。且つ、万一排水管８１２が容器外に落下してしまうと、水が外に漏れ出して容器内の生物が死亡してしまうだけでなく、家庭内の物品の破損につながることもある。どちらにしても損失が引き起こされる。
【０００５】
図８に示す水槽または噴水９０と図７に示す水槽または噴水８０の構造は大体において同じであるが、水槽または噴水９０の濾過装置９１がフック取り付け構造９１１を介して水容器９２の側壁上端部に固定される点が異なる。しかし、このフック取り付け構造９１１と吸水管９１２の設置もまた水槽または噴水９０の全体の外観を損ねてしまう。同様に前記濾過装置９１に接続される導線９１３も依然として水容器９２の横に配置され、万一濾過装置が各種要因により容器内に落下してしまった場合、漏電で容器内の生物が死亡してしまうだけでなく、人体に対しても危険を招く。
【０００６】
このため、以上の欠陥を克服する水槽を含めた装飾装置の提供が現在解決が待たれる技術的課題である。
【発明の開示】
【発明が解決しようとする課題】
【０００７】
本発明の主な目的は、従来の導線を省き、導線を外から水容器内へ進入させる必要なく、これにより導線が水容器内の水中で漏電を起こし危険を招く可能性を排除し、使用上の安全を確保すると共に、装飾装置全体の外観を向上することができる、電池駆動式水循環装飾装置を提供することにある。    
【課題を解決するための手段】
【０００８】
上述の目的を達するため、本発明の電池駆動式水循環装飾装置は、水容器と、前記水容器内に設置される汲水機構と、前記汲水機構に駆動力を提供する駆動機構を含み、そのうち、前記駆動機構に電池または太陽エネルギー電池が接続されることを特徴とする。
【０００９】
前記電池駆動式水循環装飾装置は、水槽、盆景、盆栽、噴水等の水の流動を利用した装飾物に用いることができる。
【００１０】
前記汲水機構には吸水口及び排水口が設けられる。
【００１１】
前記汲水機構は磁性を持つ可動部材を備え、前記可動部材上に導水器が設置される。
【００１２】
前記水容器の壁面上に容器空間内に向かって延伸された柱体が設けられ、この柱体上端にマグネットロータインペラが設置され、前記柱体内に駆動機構が設けられると共に、前記マグネットロータインペラは前記駆動機構により駆動されて回転する。
【００１３】
前記水容器の壁面上に容器空間外に向かって延伸された柱体が設けられ、この柱体上端にマグネットロータインペラが設置され、前記柱体内に駆動機構が設けられると共に、前記マグネットロータインペラは前記駆動機構により駆動されて回転する。
【００１４】
前記水容器の壁面上に磁性膜片を設けた装置が設置され、容器空間外に駆動機構が設けられ、前記磁性膜片が前記駆動機構により上下に振動される。
【００１５】
前記電池と駆動機構の間に回路制御装置が設けられ、この回路制御装置は一般に時間、電流、オン/オフ、電動頻度を制御できる装置とする。
【００１６】
前記汲水機構の吸水口または排水口には物質を過濾する濾過装置または水流誘導装置が設置される。
【００１７】
前記汲水機構の排水口には管路が接続され、この管路は１つまたは１つ以上の排水口を備えている。
【００１８】
前記水容器の底部近くに透水層板が設けられ、この透水層板に孔または開口槽が形成され、且つ、装飾物と相互に接続される界面が設けられる。
【００１９】
前記水容器の壁面上に前記透水層板または装飾物と相互に接続される界面が設けられる。
【００２０】
前記透水層板は前記汲水機構の吸水口と排水口の間に配置される。
【００２１】
前記水容器の壁面上に中空且つ内側に向かって延伸された部分が設けられ、内部に照明部材または前記電池或いは前記太陽エネルギー電池が設置される。
【００２２】
前記水容器内に液体に押し動かされ動作を発生する装飾部材が設置される。
【００２３】
前記水容器上に植物灌漑設備が設けられ、この設備は一般に管路、引水路等とすることができる。        
【発明の効果】
【００２４】
現有技術と比較すると、本発明の電池駆動式水循環装飾装置の駆動機構には電池または太陽エネルギー電池が接続されるため、これにより従来の導線を排除し、さらに導線が水容器の容器空間内の水中で漏電を起こし危険を招く可能性を排除し、使用上の安全を確保すると共に非常に環境にやさしく、且つ、電池駆動式水循環装飾装置の全体の外観を向上することができる。        
【発明を実施するための最良の形態】
【００２５】
以下、本発明の構造、装置及びその特徴についてより深い認識と理解を促すため、最良の実施例と図面に基づき詳細に説明する。
【００２６】
図１に示すように、本発明の電池駆動式水循環装飾装置１０は水容器２０と、前記水容器２０内に設置された汲水機構、前記汲水機構を駆動する駆動力を提供する駆動機構４０を含み、汲水と同時に水に対して濾過を行うため、前記汲水機構はさらに濾過装置３０を含む。そのうち、前記駆動機構４０には電池５０または太陽エネルギー電池５１が接続される（図２及び図５参照）。これにより従来の交流電源駆動機構または導線を排除することができ、さらに導線が水容器２０の容器空間２１内の水中で漏電を起こし危険を招くことを回避し、使用上の安全を確保すると共に、電池駆動式水循環装飾装置１０全体の外観を向上することができる。以下でより詳細に説明する。
【００２７】
そのうち、前記濾過装置３０は前記水容器２０の容器空間２１内部に設置され、前記駆動機構４０は前記水容器２０の容器空間２１外部に設置される。本実施例において、前記駆動機構４０は電動機４１及び前記電動機の出力軸上に固定されて設けられた円柱形の磁石４２を含む。
【００２８】
水容器２０は一般に透明容器とし、その容器空間２１は長方体またはあらゆる立方体或いはその他形状とすることができるが、本実施例においては円形とする。前記水容器２０の底壁２２は上方向に延伸されて設置台が形成され、この設置台はあらゆる形状の立体構造とすることができるが、本実施例においては柱体２４を例とする。当然、必要に応じ前記柱体２４は側壁２３の底壁２２近くの位置や容器空間２１の中心に近い位置に上方向に延伸して設けることもできる。最良の実施方法においては、前記柱体２４は上端部が小さく下端部が大きい階段状の円柱状とし、且つ水容器２０の底壁２２上に設けられる。
【００２９】
前記柱体２４の上端部に水平に設置面２４１が設けられ、前記濾過装置３０の設置に用いられる。前記柱体２４内に上端部が小さく下端部が大きい段状孔２４２が設けられ、前記段状孔２４２の上端部に前記円柱形の磁石４２が収容され、下端部に前記電動機４１が収容される。前記電動機４１は導線４１１を介して電池５０に接続され（図２参照）、これにより前記電動機４１に電力が供給される。
【００３０】
前記柱体２４の上端部に被せるようにマグネットロータインペラ６０が設けられ、これは磁性を備えた可動部材であり、当然ながら、磁性膜片等のその他部材を設置することもできるが、磁石４２の回転により回転されて水を駆動して運動させ、排水の機能を得ることができる。これについては以下で詳細に説明する。
【００３１】
図１及び図２に示すように、本実施例においては、前記濾過装置３０が円柱形を呈しかつ前記設置面２４１上に真っ直ぐに立ち内部に過濾材料３２が設けられた外殼３１と、前記外殼３１底部に設けられ、前記過濾材料３２を前記外殼３１内に閉じ込める導水器３３を含む。前記マグネットロータインペラ６０は前記導水器３３内に設置される。前記外殼３１の側壁３１１上に前記水容器２０の容器空間２１に貫通された吸水口３１１１が開設され、前記水容器２０の容器空間２１内の水を流入させることができる。前記過濾材料３２は真っ直ぐにその中心に穿通された通路３２１を有する。前記導水器３３は円柱形を呈し、その導水容器空間３３１の上壁３３２中央を上方向に延伸して筒状の導水口３３２１が設けられる。前記導水容器空間３３１の下端部は開口とし、前記マグネットロータインペラ６０に被せるように設置することができる。前記外殼３１の側壁３１１と前記導水器３３の側壁３３３上に水平に排水口３１１２、３３３１が設置されるか、或いは排水誘導装置３４が接続される。前記マグネットロータインペラ６０または磁性膜片（磁力吸着間歇作用を利用して磁性を備えた膜片を上下に振動させ、吸水/排水機能が生まれる）が作動されると前記導水容器空間３３１内の水が前記排水口３１１２、３３３１から排出されるか、排水誘導装置３４を通って排出される。
【００３２】
前記駆動機構４０には電池５０が接続され、前記電池５０は駆動機構４０近くのあらゆる場所に設置することができるが、本実施例においては、前記水容器２０の底壁２２に内側へ向かって中空の突出部２２１が開設されており（以下で詳細に説明する）、電池５０の設置に便利なようになっており、前記電池５０を利用して前記電動機４１に電力を供給することができる。
【００３３】
使用時には電池５０を装着し、前記電動機４１に通電させて前記磁石４２を駆動し回転させる。前記マグネットロータインペラ６０にも磁性があるため、磁力を利用して前記マグネットロータインペラ６０を回転させることができる。これにより、マグネットロータインペラ６０上端部のブレードが前記水容器２０の容器空間２１内の水を外殼３１の吸水口３１１１に流入させ、さらに過濾材料３２の通路３２１に進入させて濾過を行い、濾過後の水が導水口３３２１を通り導水容器空間３３１へ進入し、その後排水口３１１２、３３３１から排出されるか、或いは排水誘導装置３４を通って排出され、これにより前記水容器２０の容器空間２１内の水が循環され濾過される。
【００３４】
このほか、前記水容器２０の底壁２２上に別途上方向に延伸された中空の突出部２２１を設けてもよく、前記中空の突出部２２１の内部空間内に照明部材２９を設置することができる。前記照明部材２９は導線５２を介して前記電池５０または太陽エネルギー電池５１に電気的に接続される。
【００３５】
図１及び図３に示すように、前記電池駆動式水循環装飾装置１０をより美しくするため、前記水容器２０内には液体により押し動かされ動作を発生する装飾部材２８１の装飾構造２８を設けてもよく、本実施例において前記装飾部材２８１は風車状とし、その回転を駆動するため、前記装飾部材２８１近傍に駆動管路２８２を設置し、前記駆動管路２８２が排水誘導装置３４と接続され、前記排水誘導装置３４から流出する水流により前記装飾部材２８１を回転させることができる。また、導管口径の大きさの設定により排水量を制御し、可動部材の動きの速さを制御することができる。
【００３６】
図１及び図４に示すように、水容器２０内には植物（水草２７１など）を設置した盆景２７を設けても良く、植物の生長を促進するため、前記水容器２０には植物灌漑設備２７２を設ける。この灌漑設備２７２は主に植物に向かって通じており、それらに対して灌漑を行なう導管或いは槽の構造とすることができ、前記導管または槽は排水誘導装置３４に接続され、これにより植物に濾過後の水を与えその生長を促すことができる。さらに、導管または槽の異なる口径や大きさを通して異なる位置の灌漑水の水量を制御することができる。
【００３７】
水容器２０内には透水層板を設置してもよく、前記層板は孔または開口槽を備え、その最良の実施例において前記透水層板は濾過装置３０の吸水口３１１１と排水口３１１２の間に配置される。また、前記水容器２０底壁２２上には突起が設けられ、装飾物を接続する界面２５、２６として用いることができる。
【００３８】
このほか、前記電池５０は太陽エネルギー電池５１と交代で、或いは共同で使用することができる。電池５０は太陽エネルギー電池５１が光エネルギーを吸収できるとき充電状態となり、太陽エネルギー電池５１が動作を停止すると電池５０に交替させて使用することができる。図１と図５に示すように、太陽エネルギー電池５１は前記水容器２０の底部に設置される。前記太陽エネルギー電池５１は前記水容器２０底部周辺に配置され、これにより充分に太陽エネルギーを収集し、太陽エネルギーを電気エネルギーに転化して前記電動機４１へ送り、濾過装置３０を駆動させて循環濾過動作を行なわせることができ、その原理は電池５０と同じであるためここでは説明を省略する。前記太陽エネルギー電池５１を前記水容器２０底部に位置決めして設置するため、前記水容器２０の底壁２２上には同様に上方向に延伸された中空の突出部２２１を設けることができ、これに太陽エネルギー電池５１の構成部材の一部を収容し、前記太陽エネルギー電池５１を位置決めすることができる。
【００３９】
上述のように、前記駆動機構４０は従来の導線で交流電流の供給を行なう必要がなく、これにより従来の導線を排除すると共に、導線が水容器２０の容器空間２１内の水中で漏電を起こして危険を招くことを回避し、使用上の安全を確保すると共に、電池駆動式水循環装飾装置１０全体の外観を向上することができる。
【００４０】
以上の実施例を通して本発明について開示を行なってきたが、本発明の範囲はこれらに限られるものではなく、本発明の構想を逸脱しない条件下において、以上の各部材または構造は、関連技術領域に携わる人物が知る類似または同等の部材または構造で代替することが可能である。
【００４１】
上述のように、本発明の電池駆動式水循環装飾装置は、導線が水容器の容器空間内の水中で漏電を起こし危険を招く可能性を確実に排除し、使用上の安全を確保できると共に、装飾装置全体の外観を向上することができる。本発明は実用性と進歩性を備えており、また本発明の構造はその特許出願以前に刊行物に掲載されたり公開使用されたことはなく、本発明の構造は特許の要件を満たしているため、法に基づきここに特許を出願するものである。
【図面の簡単な説明】
【００４２】
【図１】本発明の電池駆動式水循環装飾装置の立体分解図である。
【図２】図１の局部断面図である。
【図３】図１の装飾構造の拡大図である。
【図４】図１の盆景の拡大図である。
【図５】太陽エネルギー電池を水容器底部に設置した状態の立体図である。
【図６】現有の装置の構造を示す立体斜視図である。
【図７】別の現有の装置の構造を示す立体斜視図である。
【図８】別の現有の装置の構造を示す立体斜視図である。
【符号の説明】
【００４３】
１０      電池駆動式水循環装飾装置      
２０      水容器
３０      濾過装置
４０      駆動機構
５０      電池
６０      マグネットロータインペラ
２１      容器空間
２２      底壁
２３      側壁
２４      柱体
２５、２６    界面
２７      盆景
２８      装飾構造
２９      照明部材
３１      外殼
３２      過濾材料
３３      導水器
３４      排水誘導装置  
４１      電動機
４２      磁石
５１      太陽エネルギー電池
５２、４１１    導線
２２１    突出部
２４１    設置面
２４２    段状孔
２７１    水草
２７２    植物灌漑設備
２８１    装飾部材
２８２    駆動管
３１１、３３３    側壁
３２１    通路
３３１    導水容器空間
３３２    上壁
３１１１  吸水口
３１１２、３３３１  排水口
３３２１  導水口
【図１】
2007307886.tif 000003
【図２】
2007307886.tif 000004
【図３】
2007307886.tif 000005
【図４】
2007307886.tif 000006
【図５】
2007307886.tif 000007
【図６】
2007307886.tif 000008
【図７】
2007307886.tif 000009
【図８】
2007307886.tif 000010